(57)【要約】【課題】収納家具内に組み込んで便利に使用できる引き出し式容器を提供する。【解決手段】左右一対の支持部材１Ａ，１Ｂは、容器２の左右両側張出部５Ａ，５Ｂが嵌合する断面コ形のレール部６と、容器２が重力で前下りに傾動してレール部６の上側レール板６ｂに容器２の左右両側張出部５Ａ，５Ｂの後端が当接した状態で引き出し限位置まで引き出されたとき、容器２の開口部後端３ｂの内側に当接して容器２のそれ以上の引き出しを阻止するストッパー１１とを備え、レール部６の下側レール板６ａは、ストッパー１１で受け止められた容器２の開口部後端３ｂの真下相当位置から前端側の適当長さ領域１２が、容器２の開口部後端３ｂがストッパー１１から下方に離れる前上がり姿勢に容器２を重力に抗して傾動させるのを許すように低く形成された構成。【選択図】図１
2005137397.tif 000002
【特許請求の範囲】
【請求項１】
開口部周囲が少なくとも左右両側辺において外側へ張り出している平面矩形の容器を、左右一対の支持部材に、当該容器の左右両側張出部において前後に滑動及び着脱可能に支持して成る引出し式容器において、前記左右一対の支持部材は、容器の左右両側張出部が嵌合する断面コ形のレール部と、当該レール部の前端寄り位置に設けられたストッパーとを備え、当該ストッパーは、容器が重力で前下りに傾動して前記レール部の上側レール板に容器の左右両側張出部の後端が当接した状態で引き出し限位置まで引き出されたとき、当該容器の開口部後端の内側に当接して当該容器のそれ以上の引き出しを阻止するものであり、前記レール部の下側レール板は、前記ストッパーで受け止められた容器の開口部後端の真下相当位置から前端側の適当長さ領域が、容器の開口部後端が前記ストッパーから下方に離れる前上がり姿勢に容器を重力に抗して傾動させるのを許すように低く形成された、引出し式容器。
【請求項２】
前記ストッパーは、前記レール部の下側レール板に左右両側張出部の全体が支持されている状態の容器の開口部内側に先端が入り込むように構成されている、請求項１に記載の引出し式容器。
【請求項３】
前記ストッパーは、前記レール部の上側レール板と一体成形されている、請求項１又は２に記載の引出し式容器。
【請求項４】
前記左右一対の支持部材には、そのレール部の前後両端部から容器支持側とは反対側へ突出して容器収納空間を構成する左右両側板に当接する突出部が設けられ、この突出部から上側に突出する取付座が連設されている、請求項１〜３の何れかに記載の引出し式容器。
【請求項５】
前記レール部は、その下側レール板の前端が上側レール板の前端よりも突出し、下側レール板の前端部に容器の左右両側張出部の後端を真上から載置できるように構成されている、請求項１〜４の何れかに記載の引出し式容器。
【発明の詳細な説明】
【技術分野】
【０００１】
本発明は、タンスやクローゼットなどの収納家具内に組み込んで使用できる、一般に線材から構成されたバスケットと称されるタイプの引き出し式容器に関するものである。
【背景技術】
【０００２】
この種の引出し式容器は、開口部周囲が少なくとも左右両側辺において外側へ張り出している平面矩形の容器を、左右一対の支持部材に、当該容器の左右両側張出部において前後に滑動及び着脱可能に支持して成るものであって、特許文献を開示することはできないが、従来のこの種の引出し式容器は、容器の左右両側張出部が嵌合するように左右一対の支持部材に設けられた断面コ形のレール部は、容器を前方に引き出せばそのまま当該容器を引き抜くことができるように構成されたものであった。
【発明の開示】
【発明が解決しようとする課題】
【０００３】
上記のような従来の引出し式容器では、引き出し限で自動制止される一般の引き出しと同じ感覚で取り扱うと、物品の出し入れ時に容器を引き出し過ぎて不測に容器を脱落させてしまうことになるので、容器を引き出す際、その後端部適当長さ領域が左右一対の支持部材に安定的に支持される状態が引き出し限となるように、引き出し量を加減しなければならないという問題点があった。
【課題を解決するための手段】
【０００４】
本発明は上記のような従来の問題点を解消し得る引き出し式容器を提供することを目的とするものであって、その手段を後述する実施形態の参照符号を付して示すと、開口部周囲が少なくとも左右両側辺において外側へ張り出している平面矩形の容器２を、左右一対の支持部材１Ａ，１Ｂに、当該容器２の左右両側張出部５Ａ，５Ｂにおいて前後に滑動及び着脱可能に支持して成る引出し式容器において、前記左右一対の支持部材１Ａ，１Ｂは、容器２の左右両側張出部５Ａ，５Ｂが嵌合する断面コ形のレール部６と、当該レール部６の前端寄り位置に設けられたストッパー１１とを備え、当該ストッパー１１は、容器２が重力で前下りに傾動して前記レール部６の上側レール板６ｂに容器２の左右両側張出部５Ａ，５Ｂの後端が当接した状態で引き出し限位置まで引き出されたとき、当該容器２の開口部後端の内側に当接して当該容器２のそれ以上の引き出しを阻止するものであり、前記レール部６の下側レール板６ａは、前記ストッパー１１で受け止められた容器２の開口部後端の真下相当位置から前端側の適当長さ領域１２が、容器２の開口部後端が前記ストッパー１１から下方に離れる前上がり姿勢に容器２を重力に抗して傾動させるのを許すように低く形成された構成となっている。
【０００５】
而して、上記容器２の重心位置がレール部６の前端より前に出る位置まで容器２が引き出されると、当該容器２は重力で前下りに傾動し、当該容器２の左右両側張出部５Ａ，５Ｂの後端がレール部６の上側レール板６ｂに当接することになるが、少なくともこの前下り状態の容器２がストッパー１１の位置まで引き出されると、当該容器２の開口部後端が前記ストッパー１１に受け止められ、それ以上の引き出しが制止される。この状態から当該容器２の前端部を持ち上げるようにして前上がりに傾動させると、当該容器２の左右両側張出部５Ａ，５Ｂの後端部が、下側レール板６ａの前記傾斜領域１２の存在によりによって下がることになり、当該容器２の開口部後端が前記ストッパー１１から下方に離脱する。この状態で当該容器２を引き出せば、前記ストッパー１１の位置を超えて当該容器２を前方に引き出し、当該容器２を支持部材１Ａ，１Ｂから前方に引き抜くことができる。
【０００６】
上記構成の本発明を実施するについて、請求項２に記載のように、前記ストッパー１１は、前記レール部６の下側レール板６ａに左右両側張出部５Ａ，５Ｂの全体が支持されている状態の容器２の内側に入り込むように構成することができる。又、請求項３に記載のように、前記ストッパー１１は、前記レール部６の上側レール板６ｂと一体成形することができる。
【０００７】
又、請求項４に記載のように、前記左右一対の支持部材１Ａ，１Ｂには、そのレール部６の前後両端部から容器支持側とは反対側へ突出して容器収納空間を構成する左右両側板１３Ａ，１３Ｂに当接する突出部７ａ，７ｂを設け、この突出部７ａ，７ｂから上側へ突出する取付座１０ａ，１０ｂを連設することができる。更に、請求項５に記載のように、前記レール部６は、その下側レール板６ａの前端を上側レール板６ｂの前端よりも前方に突出させ、下側レール板６ａの前端部に容器２の左右両側張出部５Ａ，５Ｂの後端を真上から載置できるように構成することができる。
【発明の効果】
【０００８】
以上のように構成される本発明の引出し式容器によれば、容器を重力で前下りに傾斜した状態で引き出し限位置まで引き出すとストッパーによって自動的にそれ以上の引き出しが自動制止されるので、容器を引き出し過ぎて不測に脱落させてしまう恐れがなくなる。しかも容器を完全に引き抜く必要があるときは、前記ストッパーで引き抜きを制止された状態の容器の手前を持ち上げて前上がり姿勢にして状態で引き抜くだけで良く、ストッパーに対する特別な操作も必要とせず、容器の引き抜きが容易に行える。
【０００９】
尚、請求項２に記載の構成によれば、容器を勢い良く引き出したために、或いは容器を水平姿勢に保つように手前を持ち上げ勝手に引き出したときも、ストッパーの位置で確実に容器を制止させ、容器の引き出し過ぎによる不測の脱落を確実に防止できる。又、請求項３に記載の構成によれば、別部材で構成したストッパーを支持部材に取り付ける場合よりもコストダウンを図ることができる。
【００１０】
又、請求項４に記載の構成によれば、左右一対の支持部材による容器の支持位置を、容器収納空間を構成する左右両側板から内側に離すことができ、当該容器収納空間を開閉する扉として、開いたときに当該扉の基部が容器収納空間内に入り込むような半被り扉を活用することが可能になる。しかもこの構成では、容器収納空間を構成する左右両側板からの支持部材の突出量がおおきくなって、荷重による下向きの回転力が大きくなるが、取付座が上方に突出しているので、当該取付座を取り付ける木ねじなどに無理をかけることなく、安定的に取付状態を維持できる。
【００１１】
更に請求項５に記載の構成によれば、取り外した容器を支持部材間に支持させるとき、容器の左右両側張出部の後端を真正面からレール部内に嵌めなければならない場合と比較して、作業が容易に且つ確実に行える。
【発明を実施するための最良の形態】
【００１２】
以下に本発明の具体的実施例を添付図に基づいて説明すると、図１及び図２において、１Ａ，１Ｂは合成樹脂材料で左右対称形に成形された左右一対の支持部材であり、２は平面矩形の容器である。容器２は、太い線材で構成された周囲枠３の内側に細い線材で格子状に構成された下窄まり状の容器本体４が連設されたバスケットタイプのものであって、この容器２の開口部、即ち、容器本体４の開口部の左右両側辺には、前記周囲枠３の左右両側辺を構成する太い線材３ａで外周が構成された張出部５Ａ，５Ｂが水平に突設され、当該容器２（容器本体４）の開口部の前後両側辺は、前記周囲枠３の前後両側辺を構成する太い線材３ｂで構成されている。勿論、容器２（容器本体４）の開口部の前後両側辺にも前記張出部５Ａ，５Ｂと同様の張出部が形成された容器であっても良い。
【００１３】
支持部材１Ａ，１Ｂは、断面コ形のレール部６、このレール部６の前後両端部からレール部６の溝側とは反対側に突設された前後一対の突出部７ａ，７ｂ、これら各突出部７ａ，７ｂから上向きに連設され且つシステム孔対応の取付孔８ａ，８ｂとタッピング用の取付孔９ａ，９ｂとを備えた取付座１０ａ，１０ｂ、及びストッパー１１から構成されている。
【００１４】
ストッパー１１は、レール部６を構成する上側レール板６ｂの前端寄り位置から内側へ一体に成形連設されたもので、図２に示すように平面視においては、前後方向の側縁１１ａが後端側ほど内側へ張り出すように傾斜し、図１Ｂに示すように側面視においては、前記側縁１１ａが後端側ほど下がるように傾斜する形成であって、前記側縁１１ａの最も下がった位置にある後端部１１ｂがストッパーとして機能するように構成されている。
【００１５】
レール部６を構成する下側レール板６ａには、前端近傍位置から前記ストッパー１１の後端部１１ｂより若干後方の位置までの区間において後端部１２ａが最も低くなるように傾斜した傾斜領域１２が形成されている。又、下側レール板６ａは、その前端が上側レール板６ｂよりも前方に突出している。換言すれば、上側レール板６ｂの前端部は下側レール板６ａよりも短くなるように切除された構造であって、レール部６の前端部が上側開放構造となっている。
【００１６】
上記の左右一対の支持部材１Ａ，１Ｂは、容器２を引き出し可能に収納する収納空間を構成する左右両側板１３Ａ，１３Ｂの内側同一高さに、その取付座１０ａ，１０ｂを利用して取り付けられる。このとき、前記左右両側板１３Ａ，１３Ｂの内側に棚受けなどを取り付けるためのシステム孔が上下適当間隔おきに設けられているときは、当該システム孔と取付座１０ａ，１０ｂのシステム孔対応の取付孔８ａ，８ｂとを利用して取り付け、そのようなシステム孔が設けられていないか又はそのシステム孔とは異なる高さに取り付けるときは、取付座１０ａ，１０ｂのタッピング用の取付孔９ａ，９ｂを利用して取り付けることができる。
【００１７】
容器２を支持部材１Ａ，１Ｂ間で支持させるときは、図４に仮想線で示すように、当該容器２の左右両側張出部５Ａ，５Ｂの後端部を左右両支持部材１Ａ，１Ｂのレール部６における下側レール板６ａの前端部上に載置させる。このとき前記のようにレール部６の前端部が上側開放構造となっているので、容器２の左右両側張出部５Ａ，５Ｂの後端部を下側レール板６ａの前端部上に真上から載置させることができる。係る状態で容器２を後方に押して移動させることにより、レール部６の下側レール板６ａ上を容器２の左右両側張出部５Ａ，５Ｂが摺動する状態で、当該容器２の前端が支持部材１Ａ，１Ｂの前端と一致する後退限位置まで当該容器２を移動させて水平に保持させることができる。尚、支持部材１Ａ，１Ｂの全長（レール部６の全長）は容器２の全長に比較して十分に短くすることができる。好ましくは、図２に示すように、支持部材１Ａ，１Ｂの全長は容器２の前後長さの半分より短くない程度の長さとすることが望ましい。
【００１８】
上記の容器２の収納に際して、後方に滑動する容器２の開口部後端、即ち、周囲枠３の後側辺線材３ｂがストッパー１１の位置を後方に通過するとき、先ず当該後側辺線材３ｂがストッパー１１の側縁１１ａによって重力に抗して押し下げられながら後方に移動し、当該後側辺線材３ｂがストッパー１１の後端部１１ｂから後方に離れると、前下り方向に重力で容器２に作用している回転力で当該後側辺線材３ｂが上動するか又は、容器２に作用している後方への押し込み力で当該後側辺線材３ｂが下側レール板６ａの傾斜領域１２における最低後端部１２ａからその後側の定常高さの下側レール板６ａ上に乗り上げ、ストッパー１１の側縁１１ａと下側レール板６ａの傾斜領域１２との間の後方下がりの傾斜経路部から定常高さ領域の下側レール板６ａと上側レール板６ｂとの間に復帰する。換言すれば、上記のようにして容器２の後端部がストッパー１１の位置を後方に通過し得るように、レール部６における下側レール板６ａの傾斜領域１２が構成されている。
【００１９】
而して、支持部材１Ａ，１Ｂのレール部６に左右両側張出部５Ａ，５Ｂが嵌合して、当該レール部６の下側レール板６ａで水平に支持されている容器２を引き出したときは、当該容器２の開口部後端がストッパー１１に到達する前に当該容器２の重心位置がレール部６から前方に離れることになり、当該容器２は重力で前下りに傾動し、その容器２の開口部後端、即ち、周囲枠３の後側辺線材３ｂがレール部６の下側レール板６ａから浮上して上側レール板６ｂに当接することになる。この状態で容器２が引き出し限位置に到達したとき、図３Ａに示すように、当該容器２の後側辺線材３ｂがストッパー１１の後端部１１ｂに当接し、それ以上の容器２の引き出しが制止される。この状態で容器２に対する物品の出し入れを行うが、物品の出し入れなどのために容器２を支持部材１Ａ，１Ｂ間から前方に引き抜く必要があるときは、上記のようにストッパー１１の後端部１１ｂで引き出しを制止された状態の容器２の前端側を図３Ｂに示すように持ち上げて、容器２の開口部後端（周囲枠３の後側辺線材３ｂ）を、ストッパー１１の後端部１１ｂから下方に離脱させた後、容器２を引き出せば良い。
【００２０】
尚、容器２としては線材から構成されたバスケットタイプのもの限定されず、板材から構成されたものあっても良い。又、ストッパー１１の後端部１１ｂが、支持部材１Ａ，１Ｂのレール部６で水平に支持されている容器２の内側に入り込むように構成しているが、容器２が重力で前下りに傾動して開口部後端（周囲枠３の後側辺線材３ｂ）が上側レール板６ｂに当接した状態で引き出されたときのみ、ストッパー１１の後端部１１ｂが当該開口部後端に当接して容器２の引き出しを制止するように構成しても良い。
【図面の簡単な説明】
【００２１】
【図１】Ａ図は一部省略の正面図、Ｂ図は一部省略の縦断側面図である。
【図２】一部省略の平面図である。
【図３】Ａ図は引き出し限位置まで容器を引き出した状態を示す一部省略の縦断側面図、Ｂ図はその状態から容器の前端部を持ち上げて前上がりに傾動させた状態を示す一部省略の縦断側面図である。
【図４】支持部材から前方に引き抜かれた状態の容器と片側の支持部材とを示す一部省略の側面図である。
【符号の説明】
【００２２】
１Ａ，１Ｂ    支持部材
２    容器
３    容器の周囲枠
４    容器本体
５Ａ，５Ｂ    左右両側張出部
６    レール部
６ａ    下側レール板
６ｂ    上側レール板
７ａ，７ｂ    突出部
１０ａ，１０ｂ    取付座
１１    ストッパー
１１ａストッパー側縁
１１ｂ    ストッパー後端部
１２    下側レール板６ａの傾斜領域
１３Ａ，１３Ｂ    収納空間を構成する左右両側板
【図１】
2005137397.tif 000003
【図２】
2005137397.tif 000004
【図３】
2005137397.tif 000005
【図４】
2005137397.tif 000006